(57)【要約】【課題】設置作業の効率を向上させることができる照明制御システム、照明制御方法および照明制御プログラムを提供すること。【解決手段】実施形態の一例に係る照明制御システムは、制御アドレスにより制御される照明機器１０−１と、前記照明機器１０−１を制御する照明制御装置５０とを有する。ここで、照明機器１０−１は、記憶部１３と、通知部１４とを有する。記憶部１３は、照明機器１０−１を設置する位置に関する情報を記憶する。通知部１４は、記憶部１３が記憶する情報を利用者に通知する。【選択図】図２
2016181336.tif 000002
【特許請求の範囲】
【請求項１】
制御アドレスにより制御される照明機器と、前記照明機器を制御する照明制御装置とを有する照明制御システムであって、
前記照明機器は、
該照明機器を設置する位置に関する情報を記憶する記憶部と；
前記記憶部が記憶する情報を利用者に通知する通知部と；
を具備することを特徴とする照明制御システム。
【請求項２】
前記照明制御装置は、前記照明機器に対し、当該照明機器を設置する位置に関する情報を送信する送信部を有し；
前記記憶部は、前記照明制御装置から受信した情報を記憶することを特徴とする請求項１に記載の照明制御システム。
【請求項３】
前記通信部は、前記照明制御装置から前記情報を受信した場合には、前記記憶部が記憶する情報を前記利用者に通知することを特徴とする請求項２に記載の照明制御システム。
【請求項４】
前記送信部は、設置対象となる照明機器に対し、当該照明機器が設置される位置に関する情報を送信することを特徴とする請求項２または３に記載の照明制御システム。
【請求項５】
前記送信部は、無線通信を介して、前記照明機器に対し、当該照明機器が設置される位置に関する情報を送信することを特徴とする請求項２〜４のうちいずれか１つに記載の照明制御システム。
【請求項６】
前記通知部は、前記照明機器に設置された表示装置に前記記憶部が記憶する情報を表示させることで、当該情報を利用者に通知することを特徴とする請求項１〜５のうちいずれか１つに記載の照明制御システム。
【請求項７】
前記通知部は、前記照明機器が有する光源を用いて、前記記憶部が記憶する情報を前記利用者に通知することを特徴とする請求項１〜５のうちいずれか１つに記載の照明制御システム。
【請求項８】
前記通知部は、前記照明機器が有する複数の光源を用いて、前記記憶部が記憶する情報を示す文字、記号若しくは図形を出力することを特徴とする請求項７に記載の照明制御システム。
【請求項９】
前記通知部は、前記光源に前記照明機器が設置される位置を示す色彩若しくは照度の光を出力させることを特徴とする請求項７に記載の照明制御システム。
【請求項１０】
前記照明機器は、当該照明機器を設置する位置に関する情報を前記利用者に通知する際に用いる電力を保持する蓄電部を有することを特徴とする請求項１〜９のうちいずれか１つに記載の照明制御システム。
【請求項１１】
照明機器が
設置する位置に関する情報を記憶する記憶ステップと；
前記記憶ステップにより記憶された情報を利用者に通知する通知ステップと；
を実行することを特徴とする照明制御方法。
【請求項１２】
照明機器が有するコンピュータに
設置する位置に関する情報を記憶する記憶手順と；
前記記憶手順により記憶された情報を利用者に通知する通知手順と；
を実行させることを特徴とする照明制御プログラム。
【発明の詳細な説明】
【技術分野】
【０００１】
本発明の実施形態は、照明制御システム、照明制御方法および照明制御プログラムに関する。
【背景技術】
【０００２】
従来、スタジオや舞台等では、複数の照明機器により照明演出がなされている。そして、各照明機器側に設定される制御アドレスを用いて、照明制御装置が各照明機器を制御する照明制御システムが導入されている。
【０００３】
このような照明制御システムでは、照明演出を変更する際や照明機器の置き換えを行う際等に、照明機器の設置や交換が手作業で行われる。例えば、照明制御システムでは、使用予定の照明機器をスタジオや舞台等に搬入して照明制御システムに接続し、照明制御装置が有する調光用フェーダ等の操作部と照明機器とを対応付けるといった一連の設置作業が、手作業により行われる。
【０００４】
ところで、このような照明制御システムでは、照明機器を搬入する際に、倉庫等から使用予定の照明機器を探し出したり、照明機器の置き換えを行う際に、設置済みの照明機器から使用する予定が無い照明機器を探し出さなければならず、効率良い設置作業の支障となっていた。
【先行技術文献】
【特許文献】
【０００５】
【特許文献１】特開２０１４−１２０３５１号公報
【発明の概要】
【発明が解決しようとする課題】
【０００６】
本発明が解決しようとする課題は、設置作業の効率を向上させることができる照明制御システム、照明制御方法および照明制御プログラムを提供することである。
【課題を解決するための手段】
【０００７】
実施形態の一例に係る照明制御システムは、制御アドレスにより制御される照明機器と、前記照明機器を制御する照明制御装置とを有する。ここで、照明機器は、記憶部と、通知部とを有する。記憶部は、照明機器を設置する位置に関する情報を記憶する。通知部は、記憶部が記憶する情報を利用者に通知する。
【発明の効果】
【０００８】
実施形態の一例に係る照明制御システム、照明制御方法および照明制御プログラムによれば、設置作業の効率を向上させることができる。
【図面の簡単な説明】
【０００９】
【図１】図１は、実施形態に係る照明制御システムの構成の一例を示すブロック図である。
【図２】図２は、実施形態に係る各装置の機能構成の一例を示すブロック図である。
【図３】図３は、実施形態に係る照明機器が記憶する位置情報の一例を示す図である。
【図４】図４は、実施形態に係る位置情報テーブルの一例を示す図である。
【図５】図５は、実施形態に係る照明機器テーブルに格納される情報の一例を示す図である。
【図６】図６は、実施形態に係るアドレス管理テーブルに格納された情報の一例を示す図である。
【図７】図７は、実施形態に係る照明機器が表示する設置位置情報の一例を示す図である。
【図８】図８は、実施形態に係る照明制御装置が実行する処理の一例を示すフローチャートである。
【図９】図９は、実施形態に係る照明機器が実行する処理の一例を示すフローチャートである。
【図１０】図１０は、実施形態に係る照明機器が光源を用いて表示する設置位置情報の一例を示す図である。
【発明を実施するための形態】
【００１０】
以下、図面を参照して、実施形態に係る照明制御システム、照明制御方法および照明制御プログラムを説明する。実施形態において同一の機能を有する構成には同一の符号を付し、重複する説明は省略する。なお、以下の実施形態で説明する照明制御システム、照明制御方法および照明制御プログラムは、一例を示すに過ぎず、実施形態を限定するものではない。例えば、以下の実施形態では、照明制御システムは、照明機器以外にも、任意の舞台装置の制御にも適用することができる。なお、以下の各実施形態は、矛盾しない範囲内で適宜組みあわせてもよい。
【００１１】
以下の実施形態に係る照明制御システム１は、制御アドレスにより制御される複数の照明機器１０（例えば、照明機器１０−１〜１０−ｎ）と、照明機器１０を制御する照明制御装置５０とを有し、照明機器１０は、照明機器１０を設置する位置に関する情報である設置位置情報を記憶する記憶部１３と、記憶部１３が記憶する設置位置情報を利用者に通知する制御部１５とを有する。なお、ここで利用者とは、照明機器１０を探し出したり、照明機器１０の置き換えを行うなど、舞台やスタジオで照明機器１０を直接扱う現場作業員のことを指す。
【００１２】
また、以下の実施形態に係る照明制御システム１は、照明機器１０を設置する位置に関する情報を照明機器１０へと送信する通信部５１を照明制御装置５０が有し、照明機器１０は、照明制御装置５０から受信した設置位置情報を記憶する。
【００１３】
また、以下の実施形態に係る照明制御システム１では、照明機器１０は、照明制御装置５０から設置位置情報を受信した場合には、設置位置情報を利用者に通知する。
【００１４】
また、以下の実施形態に係る照明制御システム１では、照明制御装置５０は、設置対象となる照明機器１０に対して設置位置情報を送信する。
【００１５】
また、以下の実施形態に係る照明制御システム１では、照明制御装置５０は、無線通信を介して、照明機器１０に対し、照明機器１０が設置される位置に関する設置位置情報を送信する。
【００１６】
また、以下の実施形態に係る照明制御システム１では、照明制御装置５０は、照明機器１０に設置された液晶画面やＬＥＤ画面等の表示部１７に設置位置情報を表示させることで、照明機器１０を設置する位置を利用者に通知する。
【００１７】
また、以下の実施形態に係る照明制御システム１では、照明制御装置５０は、照明機器１０が有するＬＥＤライト等の光源部１６を用いて、照明機器１０を設置する情報を利用者に通知する。
【００１８】
また、以下の実施形態に係る照明制御システム１では、照明制御装置５０は、照明機器１０が有する複数の光源部１６を用いて、設置位置情報を示す文字、記号若しくは図形を出力する。
【００１９】
また、以下の実施形態に係る照明制御システム１では、照明制御装置５０は、照明機器１０が設置される位置を示す色彩若しくは照度の光を光源部１６に出力させる。
【００２０】
また、以下の実施形態に係る照明制御システム１では、照明制御装置５０は、照明機器１０を設置する位置に関する情報を利用者に通知する際に用いる電力を保持する蓄電部１８を有する。
【００２１】
［実施形態］
（実施形態に係る照明制御システムの構成）
図１は、実施形態に係る照明制御システムの構成の一例を示すブロック図である。実施形態に係る照明制御システム１は、複数の照明機器１０（１０−１〜１０−ｎ）、複数のバトン装置２０（２０−１〜２０−ｎ）、及び照明制御装置５０を有する。なお、照明制御システム１に接続される照明機器１０およびバトン装置２０の種別や数などは任意に設定できる。
【００２２】
照明制御システム１において、照明機器１０は、ＤＭＸ規格に従った通信プロトコルや、ＤＭＸを拡張したＲＤＭ（Remote  Device  Management）規格に沿った通信方式により、バトン装置２０−１〜２０−ｎや照明制御装置５０と双方向通信が可能であり、バトン装置２０−１〜２０−ｎと所定の有線コネクタを介して接続可能である。
【００２３】
また、照明機器１０は、ＬＥＤ（Light  Emitting  Diodes）等の半導体発光素子を有し、制御信号に従って、明るさ（照度）、範囲、色彩、照明する位置等を変化させることで、スタジオや舞台等の照明演出を行う。また、照明機器１０には、１つまたは複数の制御アドレスが予め設定されており、その制御アドレスを用いた制御に従って、照度、照明する光の色彩、照明する向き等の制御対象を変更する。なお、照明機器１０は、ＬＥＤ等の半導体発光素子を光源として用いる照明機器ではなく、例えば、いわゆるハロゲンランプであってもよい。
【００２４】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられるとして、説明を省略する。なお、バトン装置２０は、照明機器１０と照明制御装置５０との間の通信を中継する機能を有するのであれば、照明機器１０を吊り下げ可能な装置でなくともよい。
【００２５】
ここで、各バトン装置２０−１〜２０−ｎには、バトン装置を識別するためのバトン番号として「ＳＬ１」〜「ＳＬｎ」といった番号が付与されている。また、各バトン装置２０−１〜２０−ｎは、各照明機器１０−１〜１０−ｎを接続するためのポートを有し、各ポートには「１」〜「ｎ」といったポート番号が付与されている。
【００２６】
このため、各照明機器１０−１〜１０−ｎを設置する位置は、バトン番号とポート番号とを組み合わせた設置位置情報により特定される。例えば、バトン番号「ＳＬ１」がバトン装置２０−１を示す場合、バトン装置２０−１が有するポート番号「１」のポートは、「ＳＬ１−１」といった設置位置情報により特定される。なお、バトン装置２０−１〜２０−ｎの各ポートの横には、各ポートを特定する設置位置情報が表示されていてもよい。
【００２７】
ハブ３０は、イーサネット（登録商標）等の有線または無線によるネットワークによって、照明制御装置５０と双方向通信が可能な態様で接続され、照明制御装置５０と各バトン装置２０−１〜２０−ｎとの通信を中継する中継器である。
【００２８】
電源装置４０は、バトン装置２０−１〜２０−ｎを介して、各照明機器１０−１〜１０−ｎに電力を供給する電源装置であり、例えば、電圧変換の機能、ブレーカー、ＵＰＳ（Uninterruptible  Power  Supply）等の機能を有する。
【００２９】
照明制御装置５０は、照明制御システム１全体を管理するオペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。このような場合、バトン装置２０−１〜２０−ｎは、制御情報をＲＤＭ規格に沿った制御信号（例えば、調光信号等）に変換し、制御アドレスが示す照明機器に対して制御信号を出力することで、照明機器１０−１〜１０−ｎの制御を行う。このように、照明制御装置５０は、制御アドレスを用いて、照明機器１０−１〜１０−ｎを遠隔制御する。
【００３０】
（実施形態に係る照明制御システムが実行する設定処理）
ここで、使用されていない照明機器１０は、スタジオや舞台から離れた倉庫等に片づけられることが通常である。このため、照明演出に応じた照明機器１０をスタジオや舞台等に設置する場合には、使用する照明機器１０を倉庫等から探し出さなければならない。また、すでにスタジオや舞台等に照明機器１０が設置されている場合は、設置済みの照明機器１０の中から継続して使用する照明機器や使用しない照明機器等を探し出さなければならない。
【００３１】
そこで、実施形態に係る照明機器１０は、自装置が設置される位置に関する情報を記憶し、記憶した情報を利用者に通知する。例えば、照明機器１０−１〜１０−ｎと照明制御装置５０は、無線ＬＡＮ（Local  Area  Network）等の無線通信網を介して相互に通信を行う機能を有する。そして、照明制御装置５０は、無線通信網を介して、各照明機器１０−１〜１０−ｎから、照明機器情報を収集する。ここで、照明機器情報とは、照明機器１０が記憶する情報であり、照明機器１０に設定された制御アドレス、照明機器１０の識別子、照明機器１０の種別等を含む情報である。
【００３２】
また、照明制御装置５０は、照明機器１０を設置する位置を示す設置位置情報と、その位置に設置される照明機器１０の種別とを対応付けた位置情報をオペレータから受付けた場合は、照明機器１０の種別に基づいて、収集した照明機器情報と位置情報とのマッチングを行い、無線通信網を介して、マッチングの結果決定した位置を照明機器１０に送信する。例えば、照明制御装置５０は、設置位置情報「ＳＬ１−１」と種別「スポットライト」とが対応付けられた位置情報を受付け、照明機器１０−１から種別「スポットライト」を含む照明機器情報を受付けた場合は、照明機器１０−１を設置する位置を設置位置情報「ＳＬ１−１」が示す位置とし、設置位置情報「ＳＬ１−１」を照明機器１０−１に対して送信する。
【００３３】
一方、照明機器１０は、無線通信網を介して、照明制御装置５０から設置位置情報を受信すると、受信した設置位置情報をメモリ等の所定の記憶装置に登録するとともに、記憶装置に登録した設置位置情報を任意の方法で利用者に通知する。例えば、照明機器１０は、筐体に液晶画面やＬＥＤ画面等の表示装置を有し、かかる表示装置に設置位置情報を表示することで、設置位置情報を利用者に通知してもよく、設置位置情報を表示するために設置された表示装置以外の表示装置、例えば、制御アドレスを設定するために設置された７セグメントディスプレイ等を用いて設置位置情報を表示してもよい。
【００３４】
このように、照明制御システム１は、照明機器１０と照明制御装置５０とを有する。そして、照明機器１０は、自装置が設置される位置に関する情報として設置位置情報を記憶し、記憶した設置位置情報を表示する。この結果、例えば、利用者は、倉庫等に片づけられた照明機器１０のうち、設置位置情報が表示されている照明機器１０をスタジオや舞台に搬入し、搬入した照明機器１０を、かかる照明機器１０自身が表示する位置に設置すればよい。また、利用者は、スタジオや舞台に設置済みの照明機器１０のうち、表示されている設置位置情報と、実際に設置されている位置の設置位置情報とが異なる照明機器１０の取り外しや設置位置の変更等を行なってもよい。この結果、照明制御システム１は、設置作業を容易にすることができる。
【００３５】
（実施形態に係る各装置の機能構成）
続いて、図２を用いて、実施形態に係る照明機器１０、バトン装置２０−１および照明制御装置５０の機能構成の一例を説明する。図２は、実施形態に係る各装置の機能構成の一例を示すブロック図である。なお、以下の説明では、照明機器１０−２〜１０−ｎは、照明機器１０−１と同様の構成および機能を発揮するものとして、説明を省略する。また、バトン装置２０−２〜２０−ｎは、バトン装置２０−１と同様の構成および機能を発揮するものとして、説明を省略する。
【００３６】
まず、照明機器１０−１の構成について説明する。実施形態に係る照明機器１０−１は、記憶部１３、通信部１４、制御部１５、光源部１６、表示部１７、蓄電部１８を有する。
【００３７】
記憶部１３は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。また、記憶部１３には、照明機器１０−１の照明機器情報１３−１および照明機器１０−１の設置位置情報１３−２が登録される。照明機器情報１３−１とは、照明機器１０−１に関する各種情報であり、例えば、ＵＩＤ（Unique  Identifier）や器具情報といった情報が含まれる。
【００３８】
ここで、ＵＩＤとは、ＤＭＸ規格で用いられる装置ごとに固有の番号であり、照明機器１０−１に予め付与される１２桁の１６進数で表される情報である。また、器具情報とは、照明機器１０−１がどのような照明機器であるかを示す情報であり、スポットライト、ホリゾントライト、ベースライト等といった照明機器１０−１の種別を示す情報や、１ｋＷ（キロワット）等といった照明機器１０−１の消費電力を示す情報を含む。
【００３９】
設置位置情報１３−２とは、照明機器１０−１が設置される位置を示す設置位置情報である。例えば、図３は、実施形態に係る照明機器が記憶する位置情報の一例を示す図である。例えば、図３に示す例では、照明機器１０−１は、設置位置情報１３−２として、バトン装置２０−１が有するポートのうちポート番号が「１」のポートを示す「ＳＬ１−１」を記憶する。
【００４０】
図２に戻り、説明を続ける。通信部１４は、照明機器１０−１と照明制御装置５０との間の通信を制御する通信装置であり、例えば、ＮＩＣ等により実現される。具体的には、通信部１４は、所定の有線コネクタを介し、ＲＤＭ規格に沿った通信方式でバトン装置２０−１との間で信号の送受信を行う有線通信機能と、無線ＬＡＮ等の無線通信網を介して、照明制御装置５０と通信を行う無線通信機能とを有する。
【００４１】
制御部１５は、照明の制御を行う。例えば、照明制御装置５０は、照明機器１０−１に制御アドレスを設定する場合は、バトン装置２０−１を介して、制御アドレスの値を示す設定信号を照明機器１０−１に出力する。このような場合、制御部１５は、バトン装置２０−１から受信した設定信号が示す制御アドレスを記憶部１３に登録する。
【００４２】
また、例えば、照明制御装置５０は、照明機器１０−１の照明態様を制御する場合は、バトン装置２０−１を介して、照明機器１０−１に設定した制御アドレスと制御内容とを示す制御信号を照明機器１０−１に出力する。このような場合、制御部１５は、バトン装置２０−１から受信した制御信号に従って、光源部１６を制御する。
【００４３】
また、照明制御装置５０は、各照明機器１０−１〜１０−ｎの照明機器情報を収集する場合は、無線通信網を介して、各照明機器１０−１〜１０−ｎに照明機器情報の送信を要求する送信要求を送信する。このような場合、制御部１５は、通信部１４を介して送信要求を受信すると、記憶部１３から照明機器情報１３−１を読出し、無線通信網を介して、読み出した照明機器情報１３−１を照明制御装置５０に送信する。
【００４４】
また、照明制御装置５０は、無線通信網を介して、各照明機器１０−１〜１０−ｎに対して設置位置情報を送信する。このような場合、制御部１５は、照明機器１０−１宛ての設置位置情報を受信すると、受信した設置位置情報を記憶部１３に登録するとともに、かかる設置位置情報を表示部１７に表示させる。例えば、照明制御装置５０は、設置位置情報「ＳＬ１−１」を照明機器１０−１へ送信する。このような場合、制御部１５は、設置位置情報「ＳＬ１−１」を記憶するとともに、「ＳＬ１−１」といった設置位置情報を示す文字を表示部１７に表示させる。
【００４５】
なお、制御部１５は、照明制御装置５０から設置位置情報を受信したタイミングではなく、例えば、無線通信網を介して、照明制御装置５０から設置位置情報を表示する旨の指示を受信した際に、記憶部１３から設置位置情報１３−２を読出し、読み出した設置位置情報１３−２を表示部１７に表示させてもよい。
【００４６】
光源部１６は、照明機器１０−１が有する光源であり、制御部１５の制御に従って、照度、照明する範囲、色彩等を制御可能なＬＥＤ等の半導体発光素子により実現される。なお、光源部１６は、いわゆるハロゲンランプであってもよい。
【００４７】
表示部１７は、照明機器１０−１に備えられた表示装置であり、例えば、液晶ディスプレイ、ＬＥＤディスプレイ、７セグメントディスプレイ等の表示装置である。
【００４８】
蓄電部１８は、照明機器１０−１が設置位置情報を利用者に通知する際に用いられる電力を蓄電し、例えば、任意の蓄電池により実現される。例えば、制御部１５は、蓄電部１８が蓄電した電力を用いて、照明制御装置５０との間で無線通信を行い、設置位置情報を受信する。また、表示部１７は、蓄電部１８が蓄電した電力を用いて、設置位置情報を表示する。なお、光源部１６も同様に、蓄電部１８が蓄電した電力を用いて、ＬＥＤ等を発光させてもよい。
【００４９】
次に、バトン装置２０−１の構成について説明する。実施形態に係るバトン装置２０−１は、通信部２３および複数のポート２４−１〜２４−ｎを有する。通信部２３は、ハブ３０を介して、制御情報と制御信号との変換を行うことで、照明機器１０と照明制御装置５０との間の通信を中継する通信装置であり、例えば、ＮＩＣ等の通信装置によって実現される。
【００５０】
ポート２４−１〜２４−ｎは、それぞれを識別するためのポート番号「１」〜「ｎ」が付与されたポートであり、例えば、ＲＤＭ規格に従って照明機器１０と信号を送受信するための所定のコネクタである。
【００５１】
次に、照明制御装置５０の構成について説明する。実施形態に係る照明制御装置５０は、通信部５１、操作部５２、記憶部５３、表示部５４、制御部５５を有する。
【００５２】
通信部５１は、照明機器１０との間の通信を制御する通信装置であり、例えば、ＮＩＣ等により実現される。また、通信部５１は、ハブ３０及びバトン装置２０を介して、照明機器１０との間でＲＤＭ規格に沿った通信方式で情報の送受信を行う有線通信機能と、無線ＬＡＮ等の無線通信網を介して、照明機器１０との間で通信を行う無線通信機能とを有する。
【００５３】
操作部５２は、各照明機器１０−１〜１０−ｎに対する操作を受付けるものであり、例えば、各照明機器１０−１〜１０−ｎの照度を変更する操作を受付ける複数のフェーダを有する。なお、各フェーダ５２−１〜５２−ｎには、それぞれ個別のフェーダ番号が付与されているものとする。また、操作部５２は、タッチパネル等を利用して構成することもできる。
【００５４】
記憶部５３は、ＨＤＤ、ＳＳＤ、フラッシュメモリ、ＲＡＭ等の記憶装置により実現されるものであり、位置情報テーブル５３−１、機器情報テーブル５３−２、およびアドレス管理テーブル５３−３を記憶する。
【００５５】
位置情報テーブル５３−１は、設置する照明機器１０の種別と、照明機器１０を設置する位置を示す設置位置情報とが対応付けて格納される。例えば、図４は、実施形態に係る位置情報テーブルの一例を示す図である。図４に示す例では、設置位置情報「ＳＬ１−１」〜「ＳＬ１−３」、「ＳＬ１−６」と種別「スポットライト」とが対応付けられており、設置位置情報「ＳＬ１−４」、「ＳＬ１−５」と種別「ホリゾントライト」とが対応付けて登録されている。すなわち、位置情報テーブル５３−１には、バトン番号「ＳＬ１」が示すバトン装置２０−１が有するポートのうち、ポート番号「１」〜「３」、「６」が示すポートに「スポットライト」を設置し、ポート番号「４」、「５」が示すポートに「ホリゾントライト」を設置する旨の情報が登録されている。
【００５６】
図２に戻り、機器情報テーブル５３−２には、無線通信網を介して、各照明機器１０−１〜１０−ｎから収集した照明機器情報が登録される。例えば、図５は、実施形態に係る照明機器テーブルに格納される情報の一例を示す図である。図５に示すように、機器情報テーブル５３−２には、識別情報と器具情報とが対応付けて登録される。ここで、識別情報とは、各照明機器１０−１〜１０−ｎを識別するための情報であり、例えば、ＵＩＤである。
【００５７】
図５に示す例では、機器情報テーブル５３−２には、識別情報「ＵＩＤ１」と器具情報「スポットライト、１ｋＷ」、識別情報「ＵＩＤ２」と器具情報「スポットライト、２ｋＷ」、識別情報「ＵＩＤ３」と器具情報「スポットライト、１ｋＷ」、識別情報「ＵＩＤ４」と器具情報「ホリゾントライト、１ｋＷ」、識別情報「ＵＩＤ５」と器具情報「ホリゾントライト、１ｋＷ」、識別情報「ＵＩＤ６」と器具情報「スポットライト、１ｋＷ」、とが対応付けて登録されている。すなわち、機器情報テーブル５３−２には、識別情報「ＵＩＤ１」〜「ＵＩＤ３」、「ＵＩＤ６」が示す照明機器が「スポットライト」であり、識別情報「ＵＩＤ４」、「ＵＩＤ５」が示す照明機器が「ホリゾントライト」である旨の情報が登録されている。
【００５８】
図２に戻り、アドレス管理テーブル５３−３には、各照明機器１０−１〜１０−ｎと各照明機器１０−１〜１０−ｎに対する操作を受付けるフェーダと、各照明機器１０−１〜１０−ｎに対して設定される制御アドレスとが対応付けて格納される。例えば、図６は、実施形態に係るアドレス管理テーブルに格納された情報の一例を示す図である。図６に示す例では、アドレス管理テーブル５３−３には、フェーダ番号、制御アドレス、識別情報、器具情報、設置位置情報等が対応付けて登録されている。
【００５９】
ここで、アドレス管理テーブル５３−３に登録されたフェーダ番号は、対応付けられた識別情報が示す照明機器に対する操作を受付けるフェーダのフェーダ番号である。また、制御アドレスは、対応付けられた識別情報が示す照明機器を制御する際に用いられる制御アドレス、すなわちＤＭＸアドレスである。また、設置位置情報は、対応付けられた識別情報が示す照明機器が設置される位置を示す設置位置情報である。
【００６０】
例えば、図６に示す例では、フェーダ番号「Ｆ１」、制御アドレス「１１」、識別情報「ＵＩＤ１」、器具情報「スポットライト、１ｋＷ」、設置位置情報「ＳＬ１−１」が対応付けて登録されている。この情報は、識別情報「ＵＩＤ１」が示す照明機器（例えば、照明機器１０−１）が消費電力「１ｋＷ」の「スポットライト」であり、バトン番号「ＳＬ１」が示すバトン装置２０−１のポートのうち、ポート番号「１」が示すポートに接続されている旨を示す。また、識別情報「ＵＩＤ１」が示す照明機器に制御アドレス「１１」が設定され、操作を受付けるフェーダがフェーダ番号「Ｆ１」が示すフェーダである旨を示す。
【００６１】
図２に戻り説明を続ける。表示部５４は、後述する制御部５５による制御に従い、照明制御装置５０に接続された各照明機器１０−１〜１０−ｎの設置位置情報と、各照明機器１０−１〜１０−ｎに設定された制御アドレスと、各照明機器１０−１〜１０−ｎに対する操作を受付けるフェーダ５２−１〜５２−ｎの情報とを表示する表示装置であり、例えば、液晶モニタやタッチパネル等により実現される。
【００６２】
制御部５５は、制御アドレスを用いて、各照明機器１０−１〜１０−ｎの制御を行う。例えば、制御部５５は、オペレータの操作に従って、各照明機器１０−１〜１０−ｎから照明機器情報を収集し、収集した照明機器情報を機器情報テーブル５３−２に格納する。また、制御部５５は、キーボード、マウス、タッチパネル等の入力手段を介して、照明機器１０を設置する位置と、その設置位置に設置される照明機器１０の種別との入力をオペレータから受付け、受付けた設置位置を示す設置位置情報と照明機器１０の種別とを対応付けて位置情報テーブル５３−１に格納する。
【００６３】
そして、制御部５５は、位置情報テーブル５３−１に格納された照明機器１０の種別と、機器情報テーブル５３−２に格納された器具情報とのマッチングを行い、各設置位置に設置する照明機器１０を決定し、各設置位置を示す設置位置情報と、各設置位置に設置する照明機器１０の照明機器情報とを対応付けてアドレス管理テーブル５３−３に登録する。
【００６４】
例えば、制御部５５は、位置情報テーブル５３−１に設置位置情報「ＳＬ１−１」と種別「スポットライト」とが対応付けて登録されている場合は、機器情報テーブル５３−２から機器情報に種別「スポットライト」が含まれている照明機器を検索する。ここで、図５に示す例では、機器情報テーブル５３−２には、照明機器１０−１の識別情報「ＵＩＤ１」に器具情報「スポットライト、１ｋＷ」とが対応付けて登録されている。そこで、制御部５５は、識別情報「ＵＩＤ１」が示す照明機器１０−１を設置位置情報「ＳＬ１−１」に設置する照明機器とし、識別情報「ＵＩＤ１」と器具情報「スポットライト、１ｋＷ」と設置位置情報「ＳＬ１−１」とを対応付けてアドレス管理テーブル５３−３に登録する。
【００６５】
このように、制御部５５は、オペレータが指定した種別の照明機器１０が、オペレータが指定した位置に設置されるように、位置情報テーブル５３−１に格納された照明機器１０の種別と、機器情報テーブル５３−２に格納された器具情報とのマッチングを行い、マッチング結果をアドレス管理テーブル５３−３に登録する。
【００６６】
また、制御部５５は、オペレータが指定した設置位置に設置する照明機器１０を決定した場合、すなわち、オペレータから受けつけた全ての設置位置情報を照明機器情報と対応付けてアドレス管理テーブル５３−３に登録した場合は、アドレス管理テーブル５３−３を参照し、各識別情報が示す照明機器１０に対し、対応付けた設置位置情報を無線通信網を介して送信する。すなわち、制御部５５は、各照明機器１０−１〜１０−ｎに対し、各照明機器１０−１〜１０−ｎが設置される位置に関する情報を送信する。例えば、制御部５５は、識別情報「ＵＩＤ１」と設置位置情報「ＳＬ１−１」とが対応付けてアドレス管理テーブル５３−３に登録されている場合は、無線通信網を介して、識別情報「ＵＩＤ１」が示す照明機器１０−１に対し、設置位置情報「ＳＬ１−１」を送信する。
【００６７】
また、制御部５５は、任意のルールに従って、各照明機器１０−１〜１０−ｎに対する操作を受付けるフェーダと、各照明機器１０−１〜１０−ｎに対して設定する制御アドレスとを決定し、各照明機器１０−１〜１０−ｎの識別情報に、各照明機器１０−１〜１０−ｎに対する操作を受付けるフェーダのフェーダ番号と、各照明機器１０−１〜１０−ｎに対して設定する制御アドレスとをアドレス管理テーブル５３−３に登録する。
【００６８】
その後、制御部５５は、各照明機器１０−１〜１０−ｎに対し、各照明機器１０−１〜１０−ｎの識別情報と対応付けられた制御アドレスを設定するための設定信号を出力する。この結果、各照明機器１０−１〜１０−ｎには、アドレス管理テーブル５３−３に登録された制御アドレスが設定される。
【００６９】
なお、制御部５５は、いずれかのフェーダが操作を受付けた場合は、操作内容と、操作を受付けたフェーダのフェーダ番号と対応付けられた制御アドレスとを示す制御信号を生成し、生成した制御信号を照明機器１０に出力する。この結果、操作を受付けたフェーダと対応付けられた照明機器１０は、制御信号に従って、照明態様の制御を行う。
【００７０】
上述した照明制御装置５０は、ＣＰＵ（Central  Processing  Unit）とＲＡＭ（Random  Access  Memory）、ＥＥＰＲＯＭ，フラッシュメモリなどを有するコンピュータが、所定の記録媒体に登録された制御プログラムを読み取り、読み取った制御プログラムを実行することにより、実現されてもよい。
【００７１】
（照明機器が通知する情報の一例）
続いて、照明機器１０が利用者に設置位置情報を通知する処理の一例について説明する。図７は、実施形態に係る照明機器が表示する設置位置情報の一例を示す図である。例えば、照明機器１０−１は、表示部１７として、７セグメントディスプレイ１７−１およびＬＥＤランプ１７−２〜１７−４を有する。例えば、照明機器１０−１の制御部１５は、記憶部１３に記憶された設置位置情報１３−２が「ＳＬ１−３」である場合は、図７に示すように、７セグメントディスプレイ１７−１を制御し、「ＳＬ１−３」等といった文字の表示を行う。このように、照明機器１０−１は、記憶部１３が記憶する設置位置情報を表示部１７に表示させることで、照明機器１０−１を設置する位置を利用者に通知することができる。
【００７２】
なお、図７に示す例では、７セグメントディスプレイ１７−１に設置位置情報を表示したが、実施形態は、これに限定されるものではない。例えば、照明機器１０−１は、液晶画面やＬＥＤ画面等に設置位置情報を表示してもよい。また、７セグメントディスプレイ１７−１は、設置位置情報を表示するために設置されたものである必要はなく、例えば、照明機器１０−１に制御アドレスを手作業で設定する際に用いられるものであってもよい。
【００７３】
また、図７に示す例では、照明機器１０−１は、設置位置情報を文字で表示したが、他にも、照明機器１０−１を設置する位置を示す記号や図形等を表示してもよい。例えば、表示部１７は、スタジオや舞台等を模式的に示す図形とともに、照明機器１０−１を設置するバトン装置のポートの位置を模式的に表示してもよい。
【００７４】
また、照明機器１０−１は、ＬＥＤランプ１７−２〜１７−４を点灯させるか否か、点灯させる組み合わせ、点灯させる色彩、点滅させるか否か、点灯させる順番、点滅させる回数等を用いて、照明機器１０−１を設置する位置を利用者に通知してもよい。例えば、照明機器１０−１は、記憶部１３に記憶された設置位置情報から照明機器１０−１を設置するバトン装置を特定し、特定したバトン装置が２０−１である場合は、ＬＥＤランプ１７−２を点灯させ、特定したバトン装置が２０−２である場合は、ＬＥＤランプ１７−３を点灯させ、特定したバトン装置が２０−ｎである場合は、ＬＥＤランプ１７−４を点灯させてもよい。
【００７５】
また、照明機器１０−１は、７セグメントディスプレイ１７−１や、ＬＥＤランプ１７−２〜１７−４を用いて、設置位置が床であるか、バトンであるか、天井であるか、設置態様がローホリゾントライトであるか、アッパーホリゾントライトであるか、シーリングライトであるか等を示す情報を表示してもよい。例えば、照明機器１０−１は、７セグメントディスプレイ１７−１に設置位置情報を表示するとともに、ＬＥＤランプ１７−２〜１７−４を用いて、設置位置が床であるか、バトンであるか、天井であるかを表示してもよい。
【００７６】
（照明制御装置が実行する処理の流れ）
次に、図８を用いて、照明制御装置５０が実行する処理の流れを説明する。図８は、実施形態に係る照明制御装置が実行する処理の一例を示すフローチャートである。例えば、照明制御装置５０は、無線ＬＡＮを介して、各照明機器１０−１〜１０−ｎから照明機器情報を収集する（ステップＳ１０１）。また、照明制御装置５０は、利用者から、照明機器１０を設置する位置と、その位置に設置する照明機器１０の種別とを受付ける（ステップＳ１０２）。
【００７７】
そして、照明制御装置５０は、各照明機器１０−１〜１０−ｎの種別に基づいて、照明機器１０−１〜１０−ｎと設置位置とのマッチングを行い（ステップＳ１０３）、マッチングの結果決定した設置位置を示す設置位置情報を、各照明機器１０−１〜１０−ｎに対して送信し（ステップＳ１０４）、この設置位置情報に従って、利用者が各照明機器１０−１〜１０−ｎを設置あるいは置き換えを行うことで（ステップＳ１０５）処理を終了する。
【００７８】
（照明機器が実行する処理の流れ）
次に、図９を用いて、照明機器１０が実行する処理の流れを説明する。図９は、実施形態に係る照明機器が実行する処理の一例を示すフローチャートである。例えば、照明機器１０は、無線ＬＡＮを介して、照明機器情報を照明制御装置５０へ送信する（ステップＳ２０１）。
【００７９】
また、照明機器１０は、設置位置情報を照明制御装置５０から受信したか否かを判定し（ステップＳ２０２）、受信した場合は（ステップＳ２０２：Ｙｅｓ）、設置位置情報を記憶し（ステップＳ２０３）、記憶した設置位置情報を表示して（ステップＳ２０４）、処理を終了する。一方、照明機器１０は、設置位置情報を受信していない場合は（ステップＳ２０２：Ｎｏ）、再度ステップＳ２０２を実行する。
【００８０】
（光源部を用いた通知について）
ここで、照明機器１０は、照明に用いる光源を用いて、記憶部１３に記憶された設置位置情報１３−２を利用者に通知してもよい。例えば、図１０は、実施形態に係る照明機器が光源を用いて表示する設置位置情報の一例を示す図である。例えば、照明機器１０−１は、複数のＬＥＤランプにより構成された光源部１６を有する。かかる光源部１６は、各ＬＥＤランプごとに制御が可能な光源であるため、各ＬＥＤランプに供給する電力を適切に制御することで、ＬＥＤランプを用いた電光掲示板と同様に、各種の情報を表示することができる。
【００８１】
そこで、照明機器１０−１は、光源部１６が有する各ＬＥＤランプを制御し、記憶部１３に記憶された設置位置情報１３−２を表示することで、利用者に設置位置を通知してもよい。例えば、照明機器１０−１は、設置位置情報１３−２の内容が「ＳＬ１−１」である場合は、図１０に示すように、光源部１６のＬＥＤランプを制御し、電光掲示板と同様に「ＳＬ１−１」を示す文字を表示してもよく、また、「ＳＬ１−１」を示すような記号若しくは図形を表示してもよい。
【００８２】
また、照明機器１０−１は、設置位置情報１３−２が記憶部１３に記憶された場合は、単に光源部１６を点灯させることにより、照明機器１０−１が設置対象となる照明機器である旨を利用者に通知してもよい。例えば、制御部１５は、照明機器１０−１がバトン装置２０−１に設置される場合は、光源部１６に赤色の光を出力させ、バトン装置２０−２に設置される場合は、光源部１６に青色の光を出力させ、バトン装置２０−ｎに設置される場合は、光源部１６に白色の光を出力させてもよい。なお、照明機器１０−１は、照明機器１０−１を設置する位置に応じて、各ＬＥＤランプを点灯させる照度を制御してもよい。
【００８３】
このように、照明機器１０は、光源部１６や表示部１７を用いて、照明機器１０が設置される位置を利用者に通知する。このような場合、利用者は、倉庫等に片づけられた照明機器１０のうち、光源部１６や表示部１７が点灯している照明機器１０や、設置位置が表示されている照明機器１０をスタジオや舞台に搬入し、搬入した照明機器１０を、照明機器１０自体に表示されている位置に設置すればよい。この結果、照明制御システム１は、照明機器１０の設置作業の効率を向上させることができる。
【００８４】
なお、上述した実施形態における「設置位置情報」は、照明機器１０−１〜１０−ｎを設置する位置が完全に特定される情報である必要はなく、少なくとも、照明機器１０−１〜１０−ｎが設置対象であるか否かを示す情報であればよい。例えば、「設置位置情報」は、スタジオや舞台に設置されるか否か、天井に設置されるか、床に設置されるか、バトン装置２０に設置されるか、どのバトン装置に設置されるか等、照明機器１０を設置する位置を大まかに示す情報であってもよい。
【００８５】
（表示の制御について）
上述した例では、照明機器１０は、記憶部１３に記憶した設置位置情報１３−２を光源部１６や表示部１７を用いて表示した。ここで、照明機器１０が設置位置情報を表示する際の態様については、照明機器１０が設置位置情報１３−２に応じて自律的に変更してもよく、照明制御装置５０からの指示に従って変更してもよい。例えば、照明制御装置５０は、照明機器１０−１に送信する設置位置情報に応じて、光源部１６や表示部１７をどのように点灯させるかを示す通知指示を生成し、設置位置情報に代えて通知指示を照明機器１０−１に送信する。このような場合、照明機器１０−１は、照明制御装置５０から受信した通知指示に従って、光源部１６や表示部１７を点灯させることで、照明機器１０−１が設置される位置を利用者に通知してもよい。
【００８６】
（マッチングについて）
上述した例では、照明制御装置５０は、種別に基づいて、各照明機器１０−１〜１０−ｎと、各照明機器１０−１〜１０−ｎを設置する位置とのマッチングを行ったが、各照明機器１０−１〜１０−ｎの消費電力等、照明機器１０に関する他の情報に基づいてマッチングを行ってもよい。
【００８７】
ここで、ＲＤＭ規格に沿った通信を用いた場合、照明制御装置５０は、照明機器１０から照明機器情報を収集することも可能である。そこで、照明制御装置５０は、バトン装置２０に設置済みの照明機器１０を優先的に設置対象とするマッチングを行ってもよい。
【００８８】
例えば、制御部１５は、ＲＤＭ規格に沿った通信を用いて、バトン装置２０に接続された照明機器１０からの照明機器情報を収集し、収集した照明機器情報を用いたマッチングを行い、交換する照明機器に対して、交換する旨を表示するよう指示する。このような場合、照明機器１０は、光源部１６や表示部１７を用いて、交換対象である旨を利用者に通知する。この結果、利用者は、交換対象の照明機器１０をバトン装置２０から容易に取り外すことができる。
【００８９】
続いて、制御部１５は、バトン装置２０に接続されていない照明機器１０から無線通信を介して照明機器情報を収集してマッチングを行い、新たにバトン装置２０へ接続する照明機器１０に対して、設置位置情報を送信する。この結果、利用者は、設置対象の照明機器１０を容易に搬入し、設置することができる。
【００９０】
なお、照明制御装置５０は、バトン装置２０に接続された照明機器１０から照明機器情報を収集する際、各照明機器１０が設置された位置を特定することができるのであれば、各照明機器１０が正しい位置に設置されているか否かを判定してもよい。例えば、制御部５５は、各照明機器１０が設置された位置と、各照明機器１０に送信した設置位置情報が示す位置とが一致しているか否かを判定し、誤った位置に設置された照明機器１０が存在する場合は、かかる照明機器１０に対して、設置位置情報を表示するよう指示する。このような場合、誤った位置に設置された照明機器１０は、正しい設置位置情報を表示する。この結果、利用者は、誤った位置に設置された照明機器１０を容易に見つけ出すことができるとともに、このような照明機器１０を正しい位置へと容易に設置することができる。
【００９１】
（照明制御装置が利用する照明機器情報について）
上述した実施形態では、照明制御装置５０は、照明機器情報を用いて、照明機器の種別を特定した。しかしながら、実施形態は、これに限定されるものではない。例えば、照明制御装置５０は、照明機器情報に含まれる情報をキーとして、予め登録されたデータベースやインターネット上から照明機器の各種情報を収集し、収集した各種情報を用いた処理を実行してもよい。
【００９２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９３】
１  照明制御システム
１０−１〜１０−ｎ  照明機器
１３  記憶部
１３−１  照明機器情報
１３−２  設置位置情報
１４  通信部
１５  制御部
１６  光源部
１７  表示部
１８  蓄電部
２０−１〜２０−ｎ  バトン装置
２３  通信部
２４−１〜２４−ｎ  ポート
３０  ハブ
４０  電源装置
５０  照明制御装置
５１  通信部
５２  操作部
５３  記憶部
５３−１  位置情報テーブル
５３−２  機器情報テーブル
５３−３  アドレス管理テーブル
５４  表示部
５５  制御部
【図１】
2016181336.tif 000003
【図２】
2016181336.tif 000004
【図３】
2016181336.tif 000005
【図４】
2016181336.tif 000006
【図５】
2016181336.tif 000007
【図６】
2016181336.tif 000008
【図７】
2016181336.tif 000009
【図８】
2016181336.tif 000010
【図９】
2016181336.tif 000011
【図１０】
2016181336.tif 000012